【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
予め登録された複数の相手先のファクス番号から所望のファクス番号を選択してファクス送信するため機能をコンピュータに実現させるファクス送信制御プログラムを記録した媒体であって、
複数の相手先のファクス番号と、各相手先のファクス番号にファクス送信するときの通信速度および通信安定度にかかる通信設定情報とからなる相手先情報を記憶する相手先情報記憶機能と、
この相手先情報記憶機能にて記憶された相手先情報から所望の相手先のファクス番号を選択するファクス番号選択機能と、
このファクス番号選択機能にて選択されたファクス番号に対してファクス送信するにあたり、同ファクス番号に対応する通信設定情報を上記相手先情報から取得し、取得した通信設定情報に基づいてファクス送信するとともに、
上記ファクス送信の結果が異常終了であった場合に、対応するエラー情報を取得し、取得したエラー情報に基づいて当該相手先の上記通信設定情報を安定通信側に更新するファクス送信機能とをコンピュータに実現させることを特徴とするファクス送信制御プログラムを記録した媒体。
【請求項２】
上記請求項１に記載のファクス送信制御プログラムを記録した媒体において、上記相手先情報記憶ステップは、各相手先のファクス番号について通信速度重視または通信安定度重視の優先度を記憶するとともに、
上記ファクス送信ステップは、上記ファクス送信の結果と優先度に基づいて上記通信設定情報を変更することを特徴とするファクス送信制御プログラムを記録した媒体。
【請求項３】
予め登録された複数の相手先のファクス番号から所望のファクス番号を選択してファクス送信するためのファクス送信装置であって、
複数の相手先のファクス番号と、各相手先のファクス番号にファクス送信するときの通信速度および通信安定度にかかる通信設定情報とからなる相手先情報を記憶する相手先情報記憶手段と、
この相手先情報記憶手段にて記憶された相手先情報から所望の相手先のファクス番号を選択するファクス番号選択手段と、
このファクス番号選択手段にて選択されたファクス番号に対してファクス送信するにあたり、同ファクス番号に対応する通信設定情報を上記相手先情報から取得し、取得した通信設定情報に基づいてファクス送信するとともに、
上記ファクス送信の結果が異常終了であった場合に、対応するエラー情報を取得し、取得したエラー情報に基づいて当該相手先の上記通信設定情報を安定通信側に更新するファクス送信手段とを具備することを特徴とするファクス送信装置。
【請求項４】
予め登録された複数の相手先のファクス番号から所望のファクス番号を選択してファクス送信するためのファクス送信制御方法であって、
複数の相手先のファクス番号と、各相手先のファクス番号にファクス送信するときの通信速度および通信安定度にかかる通信設定情報とからなる相手先情報を記憶する相手先情報記憶工程と、
この相手先情報記憶工程にて記憶された相手先情報から所望の相手先のファクス番号を選択するファクス番号選択工程と、
このファクス番号選択工程にて選択されたファクス番号に対してファクス送信するにあたり、同ファクス番号に対応する通信設定情報を上記相手先情報から取得し、取得した通信設定情報に基づいてファクス送信するとともに、
上記ファクス送信の結果が異常終了であった場合に、対応するエラー情報を取得し、取得したエラー情報に基づいて当該相手先の上記通信設定情報を安定通信側に更新するファクス送信工程とを具備することを特徴とするファクス送信制御方法。
【手続補正２】
【補正対象書類名】明細書
【補正対象項目名】０００７
【補正方法】変更
【補正の内容】
【０００７】
上記目的を達成するため、請求項１にかかる発明は、予め登録された複数の相手先のファクス番号から所望のファクス番号を選択してファクス送信するため機能をコンピュータに実現させるファクス送信制御プログラムを記録した媒体であって、
複数の相手先のファクス番号と、各相手先のファクス番号にファクス送信するときの通信速度および通信安定度にかかる通信設定情報とからなる相手先情報を記憶する相手先情報記憶機能と、この相手先情報記憶機能にて記憶された相手先情報から所望の相手先のファクス番号を選択するファクス番号選択機能と、このファクス番号選択機能にて選択されたファクス番号に対してファクス送信するにあたり、同ファクス番号に対応する通信設定情報を上記相手先情報から取得し、取得した通信設定情報に基づいてファクス送信するとともに、上記ファクス送信の結果が異常終了であった場合に、対応するエラー情報を取得し、取得したエラー情報に基づいて当該相手先の上記通信設定情報を安定通信側に更新するファクス送信機能とをコンピュータに実現させる構成としてある。
【手続補正３】
【補正対象書類名】明細書
【補正対象項目名】０００８
【補正方法】変更
【補正の内容】
【０００８】
上記のように構成した請求項１にかかる発明においては、相手先情報記憶機能において、複数の相手先のファクス番号と各相手先にファクス送信するときの通信速度および通信安定度にかかる通信設定情報とからなる相手先情報を予め記憶しておく。そして、実際にファクス送信を行う場合には、ファクス番号選択機能にて所望の相手先のファクス番号を選択する。すると、ファクス送信機能にてその相手先のファクス番号に対応する通信設定情報を相手先情報から取得し、この通信設定情報に基づいて同相手先のファクス番号にファクス送信する。従って、各相手先に対して個別に通信設定情報が適用されるため、各相手先の通信設定情報を適宜設定しておけば、送信エラーの発生率は低減されるとともに、効率的なファクス送信が行われる結果となる。
【手続補正４】
【補正対象書類名】明細書
【補正対象項目名】０００９
【補正方法】変更
【補正の内容】
【０００９】
また、上記相手先情報記憶機能は、通信速度および通信安定度にかかる通信設定情報を記憶する。すなわち、通信速度および通信安定度にかかる通信設定情報を相手先ごとに最適となるように調整し、相手先情報記憶ステップにて相手先のファクス番号に対応づけて記憶させておく。すると、実際のファクス送信時に個別に適用されるので、適切な通信速度および通信安定度でファクス送信が可能となる。
さらに、ファクス送信機能においてファクス送信を実行した結果、異常終了であった場合には、対応するエラー情報を取得する。そして、そのエラー情報に基づいて通信設定情報を安定通信側に更新する。例えば、取得したエラー情報に基づいて伝送速度が高過ぎるということが判明したら、伝送速度を低くすればよいことになる。例えば、デフォルトの通信設定情報を用いた場合であっても、ファクス送信ステップによって通信設定情報が変更されるので、それ以降は適切な伝送速度でファクス送信を実行することができる。
【手続補正５】
【補正対象書類名】明細書
【補正対象項目名】００１０
【補正方法】変更
【補正の内容】
【００１０】
なお、ここにおける通信速度とは、ファクス送信に要する時間が多いか少ないかといった尺度を意味するものであり、狭義の伝送速度（Ｂａｕｄ  Ｒａｔｅ）のみを意味するものではない。例えば、通常のファクス送信においては、送信対象となるデータを圧縮して送信するが、このときの圧縮方式も通信速度にかかる通信設定情報に含まれる。すなわち、高圧縮比の圧縮方式を採用すればファクス送信に要する時間は相対的に短くなるし、低圧縮比の圧縮方式を採用すればファクス送信に要する時間は長くなる。
【手続補正６】
【補正対象書類名】明細書
【補正対象項目名】００１１
【補正方法】変更
【補正の内容】
【００１１】
むろん、通信速度と通信安定度は表裏一体の関係にあることが多いと言える。例えば、伝送速度を高くすればファクス送信に要する時間は短く済むが、その反面で通信安定度が低下することは容易に分かることである。従って、後者の意味においては、伝送速度は通信安定度を左右するパラメータの一つであるとも言える。
【手続補正７】
【補正対象書類名】明細書
【補正対象項目名】００１２
【補正方法】変更
【補正の内容】
【００１２】
なお、ここにおけるファクス送信の送信対象となるデータとしては、スキャナで読み取って生成した画像データであってもよいし、ワープロソフトの印刷イメージなどから取得した画像データであってもよく、各種形態のものを適用可能であって特に限定されない。ただし、その画像データの形式としては、相手先のファクス装置などで受信可能であることが前提にあり、この限りにおいて画像データを適宜圧縮するなどしてもかまわない。
【手続補正８】
【補正対象書類名】明細書
【補正対象項目名】００１３
【補正方法】変更
【補正の内容】
【００１３】
ここにおいてプログラムの記録対象となる媒体は、磁気記録媒体であってもよいし、光磁気記録媒体であってもよいし、今後開発されるいかなる記録媒体においても全く同様に考えることができる。また、一次複製品、二次複製品などの複製段階については全く問う余地無く同等である。その他、供給方法として通信回線を利用して行なう場合でも本発明が利用されていることにはかわりない。
さらに、一部がソフトウェアであって、一部がハードウェアで実現されている場合においても発明の思想において全く異なるものではなく、一部を記録媒体上に記憶しておいて必要に応じて適宜読み込まれるような形態のものとしてあってもよい。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
ところで、ファクス送信ステップにおいて通信設定情報を変更することにより、適切な環境下でファクス送信を実現するとしても、利用者が自己の好みを反映させたいという場面も起こりうる。例えば、可能な限り高速なファクス送信を行いたいという利用者もいれば、安定したファクス送信を行いたいという利用者もいる。そこで、請求項２にかかる発明は、請求項１に記載のファクス送信制御プログラムを記録した媒体において、上記相手先情報記憶機能は、各相手先のファクス番号について通信速度重視または通信安定度重視の優先度を記憶するとともに、上記ファクス送信ステップは、上記ファクス送信の結果と優先度に基づいて上記通信設定情報を変更する構成としてある。
上記のように構成した請求項２にかかる発明においては、各相手先のファクス番号に対して通信速度重視または通信安定度重視の優先度を付与し、相手先情報として記憶しおく。そして、ファクス送信機能において、ファクス送信の結果に応じて通信設定情報を変更するが、このとき、上記のようにして付与された優先度を加味して変更する。
例えば、通信速度重視の優先度が付与されている場合には、ファクス送信が正常終了したら、直ちに通信設定情報を高速通信側に更新するが、通信安定度重視の優先度が付与されている場合には、ファクス送信が数回以上連続して正常終了した場合に限って通信設定情報を高速通信側に更新するなどの構成としてもよい。
【手続補正１２】
【補正対象書類名】明細書
【補正対象項目名】００１８
【補正方法】変更
【補正の内容】
【００１８】
このため、請求項３にかかる発明は、予め登録された複数の相手先のファクス番号から所望のファクス番号を選択してファクス送信するためのファクス送信装置であって、複数の相手先のファクス番号と、各相手先のファクス番号にファクス送信するときの通信速度および通信安定度にかかる通信設定情報とからなる相手先情報を記憶する相手先情報記憶手段と、この相手先情報記憶手段にて記憶された相手先情報から所望の相手先のファクス番号を選択するファクス番号選択手段と、このファクス番号選択手段にて選択されたファクス番号に対してファクス送信するにあたり、同ファクス番号に対応する通信設定情報を上記相手先情報から取得し、取得した通信設定情報に基づいてファクス送信するとともに、
上記ファクス送信の結果が異常終了であった場合に、対応するエラー情報を取得し、取得したエラー情報に基づいて当該相手先の上記通信設定情報を安定通信側に更新するファクス送信手段とを具備する構成としてある。すなわち、必ずしもプログラムを記録した媒体に限らず、同様の手法を利用した装置においても有効であることに相違はない。
【手続補正１３】
【補正対象書類名】明細書
【補正対象項目名】００１９
【補正方法】変更
【補正の内容】
【００１９】
さらに、予め登録された複数の相手先のファクス番号から所望のファクス番号を選択してファクス送信する場合に、各ファクス番号に対して個別の通信設定情報を適用してファクス送信する手法は、必ずしも実体のある媒体や装置に限られる必要はない。その一例として、請求項４にかかる発明は、予め登録された複数の相手先のファクス番号から所望のファクス番号を選択してファクス送信するためのファクス送信制御方法であって、複数の相手先のファクス番号と、各相手先のファクス番号にファクス送信するときの通信速度および通信安定度にかかる通信設定情報とからなる相手先情報を記憶する相手先情報記憶工程と、この相手先情報記憶工程にて記憶された相手先情報から所望の相手先のファクス番号を選択するファクス番号選択工程と、このファクス番号選択工程にて選択されたファクス番号に対してファクス送信するにあたり、同ファクス番号に対応する通信設定情報を上記相手先情報から取得し、取得した通信設定情報に基づいてファクス送信するとともに、上記ファクス送信の結果が異常終了であった場合に、対応するエラー情報を取得し、取得したエラー情報に基づいて当該相手先の上記通信設定情報を安定通信側に更新するファクス送信工程とを具備する構成としてある。すなわち、必ずしも実体のある媒体や装置に限らず、その方法としても有効であることに相違はない。
【手続補正１４】
【補正対象書類名】明細書
【補正対象項目名】００２０
【補正方法】変更
【補正の内容】
【００２０】
以上説明したように本発明は、予め複数の相手先のファクス番号と各相手先のファクス番号にファクス送信するときの通信設定情報とを記憶しておき、所望の相手先のファクス番号を選択してファクス送信する場合に、対応する通信設定情報を個別にファックス通信に適用しつつ、この通信設定情報をファクス送信のエラー情報に基づいて通信設定情報を更新するようにしたため、送信エラーを低減しつつも効率的なファクス送信を行うことが可能なファクス送信制御プログラムを記録した媒体を提供することができる。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
さらに、請求項２にかかる発明によれば、各相手先のファクス番号について通信速度重視または通信安定度重視の優先度を付与し、この優先度を加味して通信設定情報を変更するようにしたため、利用者の好みを反映させることができる。
さらに、請求項３にかかる発明によれば、同様にして送信エラーを低減しつつも効率的なファクス送信を行うことが可能なファクス送信装置を提供することができ、請求項４にかかる発明によれば、ファクス送信制御方法を提供することができる。